(57)【要約】【課題】外側ガイドレールにおけるパチンコ球の着地部位付近の弾力性を高めてしなやかさを出し、長期に亘り球飛び状態が安定する弾球遊技機を提供する。【解決手段】窓開口４の内周面に成形されるレール案内溝３３の前縁側の長手方向に沿って底壁３３ａ面よりも突出する支持段部５６が成形される前面枠２と、前面枠２前面に取り付けられる打球発射レール２８と、裏面の前縁側のみが支持段部５６に当接して支持され底壁３３ａ面との間に空間が成形される状態でレール案内溝３３に取り付けられる外側ガイドレール１５とを備え、打球発射レール２８から発射されるパチンコ球が着地する外側ガイドレール１５の着地部位付近Ｌの前縁に、長手方向の所定の範囲に亘り支持段部３９から外れる横幅を有した切欠条部５６を設けた。【選択図】図５
2005143985.tif 000002
【特許請求の範囲】
【請求項１】
遊技盤の遊技部が臨む窓開口を有し、前記窓開口の内周面に弧状のレール案内溝が成形され、前記レール案内溝の前縁側の長手方向に沿って該レール案内溝の底壁面よりも突出する支持段部が成形される前面枠と、前記前面枠の前面であって前記窓開口の下方に取り付けられる打球発射レールと、前記打球発射レールと所定の間隔離して連なると共に裏面の前縁側のみが前記支持段部に当接して支持され前記底壁面との間に空間が成形される状態で前記レール案内溝に取り付けられる外側ガイドレールとを備えた弾球遊技機であって、
前記打球発射レールから発射されるパチンコ球が着地する前記外側ガイドレールの着地部位付近の前縁に、その長手方向に沿って所定の範囲に亘り前記支持段部から外れる横幅を有した切欠条部を設けてなることを特徴とする弾球遊技機。
【請求項２】
遊技盤の遊技部が臨む窓開口を有し、前記窓開口の内周面に弧状のレール案内溝が成形され、前記レール案内溝の前縁側の長手方向に沿って該レール案内溝の底壁面よりも突出する支持段部が成形される前面枠と、前記前面枠の前面であって前記窓開口の下方に取り付けられる打球発射レールと、前記打球発射レールと所定の間隔離して連なると共に裏面の前縁側のみが前記支持段部に当接して支持され前記底壁面との間に空間が成形される状態で前記レール案内溝に取り付けられる外側ガイドレールとを備えた弾球遊技機であって、
前記打球発射レールから発射されるパチンコ球が着地する前記外側ガイドレールの着地部位付近の前縁に、その長手方向に沿って所定の範囲に亘り前記支持段部から外れる横幅を有した切欠条部を設け、前記外側ガイドレールの着地部位付近の後縁に、その長手方向に沿って前記切欠条部とほぼ同じ長さの切欠条部を設けてなることを特徴とする弾球遊技機。
【発明の詳細な説明】
【技術分野】
【０００１】
この発明は、前面枠の窓開口の内周面に弧状のレール案内溝が成形され、該レール案内溝に外側ガイドレールが取り付けられる弾球遊技機に関するものである。
【背景技術】
【０００２】
従来、例えば弾球遊技機の一種であるパチンコ遊技機として本出願人による次のようなものが有る。すなわち、このパチンコ遊技機は、遊技盤の遊技部が臨む窓開口を有し、前記窓開口の内周面に弧状のレール案内溝が成形され、前記レール案内溝の前縁側の長手方向に沿って該レール案内溝の底壁面よりも突出する支持段部が成形される前面枠と、前記前面枠の前面であって前記窓開口の下方に取り付けられる打球発射レールと、前記打球発射レールと所定の間隔離して連なると共に裏面の前縁側のみが前記支持段部に当接して支持され前記底壁面との間に空間が成形される状態で前記レール案内溝に取り付けられる外側ガイドレールとを備えた構成からなる（特許文献１参照。）。
【特許文献１】特開２００３−１８０９８０号公報(第４−６頁、図１０)
【発明の開示】
【発明が解決しようとする課題】
【０００３】
しかしながら、前記特許文献１のパチンコ遊技機にあっては、外側ガイドレールがその裏面の前縁側で支持段部に支持されており、しかも、通常この種のガイドレールはステンレス製の金属帯板からなり比較的剛性に富んだ構成になっている。一方、打球発射レールから発射されるパチンコ球は、所定の間隔離れて連なる外側ガイドレールの上面に着地し、それから該外側ガイドレールに沿って飛走して遊技盤の遊技部に飛入する。そこで、パチンコホールでの稼動中には前記打球発射レールから発射される無数のパチンコ球が外側ガイドレールのほぼ一個所に頻繁に着地して当たることになる。このため、短期間では問題ないが、長い間（例えば６ヶ月以上）稼動していると、その個所の表面にパチンコ球が当たる衝撃により窪みができてしまい、ともするとパチンコ球がその窪みに嵌り込んで飛走方向に狂いが生ずるといった不安定な球飛び状態が起きる傾向があるという改良すべき点が残っている。
【０００４】
そこで、本発明は上記課題に鑑みてなされたもので、外側ガイドレールにおいて発射されるパチンコ球が着地する着地部位付近の弾力性を高めてしなやかさを出し、発射球による傷や窪みが付くことを少なくして長期に亘り球飛び状態を安定させることができる弾球遊技機を提供することを目的とするものである。
【課題を解決するための手段】
【０００５】
かかる目的を達成するため本発明に係る弾球遊技機は、遊技盤の遊技部が臨む窓開口を有し、前記窓開口の内周面に弧状のレール案内溝が成形され、前記レール案内溝の前縁側の長手方向に沿って該レール案内溝の底壁面よりも突出する支持段部が成形される前面枠と、前記前面枠の前面であって前記窓開口の下方に取り付けられる打球発射レールと、前記打球発射レールと所定の間隔離して連なると共に裏面の前縁側のみが前記支持段部に当接して支持され前記底壁面との間に空間が成形される状態で前記レール案内溝に取り付けられる外側ガイドレールとを備えた弾球遊技機であって、前記打球発射レールから発射されるパチンコ球が着地する前記外側ガイドレールの着地部位付近の前縁に、その長手方向に沿って所定の範囲に亘り前記支持段部から外れる横幅を有した切欠条部を設けた構成からなる。
【０００６】
また、本発明は、遊技盤の遊技部が臨む窓開口を有し、前記窓開口の内周面に弧状のレール案内溝が成形され、前記レール案内溝の前縁側の長手方向に沿って該レール案内溝の底壁面よりも突出する支持段部が成形される前面枠と、前記前面枠の前面であって前記窓開口の下方に取り付けられる打球発射レールと、前記打球発射レールと所定の間隔離して連なると共に裏面の前縁側のみが前記支持段部に当接して支持され前記底壁面との間に空間が成形される状態で前記レール案内溝に取り付けられる外側ガイドレールとを備えた弾球遊技機であって、前記打球発射レールから発射されるパチンコ球が着地する前記外側ガイドレールの着地部位付近の前縁に、その長手方向に沿って所定の範囲に亘り前記支持段部から外れる横幅を有した切欠条部を設け、前記外側ガイドレールの着地部位付近の後縁に、その長手方向に沿って前記切欠条部とほぼ同じ長さの切欠条部を設けた構成からなる。
【発明の効果】
【０００７】
本発明に係る弾球遊技機は、打球発射レールから発射されるパチンコ球が着地する外側ガイドレールの着地部位付近の前縁側または前・後縁側にその長手方向に沿って所定の範囲に亘り支持段部から外れる横幅を有した切欠条部を設けたので、その部位付近はレール幅が狭くなりしかも支持されるものがなくなる。よって、その部位付近は、弾力性が高められしかもしなやかさが引き出されることになり、長期に亘り使用しても着地するパチンコ球の衝撃によって傷や窪みが付くことも少なく球飛び状態が安定する。更には、これにより外側ガイドレールの寿命を伸ばすことができるといった効果が有る。
【発明を実施するための最良の形態】
【０００８】
以下、本発明に係る弾球遊技機の実施の形態を図面に基づき説明する。なお、弾球遊技機には、例えばパチンコ遊技機、アレンジボール機または雀球遊技機があるが、本発明にあっては、一例としてパチンコ遊技機について説明する。図１は本発明が適用されるパチンコ遊技機の正面図、図２は前面枠の正面図、図３は同分解斜視図である。図において、１はパチンコ遊技機Ｐの機枠であって縦長方形枠状に成形されており、その前面に額縁状の前面枠２がその一側上下部を前記機枠１の一側上下部に設けた軸支部３，３によって軸支され、回動自在に装着されている。この前面枠２の上部中央には、窓開口４が開設されている。前面枠２の裏面には遊技盤５が配置され、その前面の遊技部５ａが前記窓開口４に臨むようになっている。
【０００９】
前記前面枠２の前面には、遊技盤５前面の遊技部５ａを覆い２枚の透明板であるガラス板６を備えた透明板保持枠７及び遊技盤５の下部を覆う前面板８とが、いずれもその一側上下部を前面枠２の一側上下間に所定の間隔離して設けた複数の軸支部９に軸支され、回動自在に装着されている。前記前面板８の前面に、貯留される弾球であるパチンコ球を後記する打球発射部Ａに供給するための打球供給皿１０が装着されている。また、前記前面枠２の下部にも下部前板１１が回動自在に装着され、この下部前板１１の前面には、前記打球供給皿１０から溢れるパチンコ球を貯留する下部球受皿１２が装着されている。１３は、下部前板１１の前面一側に設けられ、打ち出されるパチンコ球の打球力の強弱を調節する操作ハンドルである。
【００１０】
前記遊技盤５の前面に遊技部５ａを囲う内側ガイドレール１４が取り付けられ、前記前面枠２の窓開口４の内周面に外側ガイドレール１５が取り付けられる。これら誘導レールとしての内側・外側ガイドレール１４，１５は、ステンレス製の金属帯板からなり、遊技盤５の前面に渦巻き状に配設される。内側ガイドレール１４と外側ガイドレール１５との間には、球飛走通路１６が成形されると共にその内側ガイドレール１４の終端位置に前記遊技部５ａと連なる球放出口１７が成形される。
【００１１】
前記遊技部５ａには、そのほぼ中央に表示部１８ａを備えた表示装置１８が装着され、その下方にパチンコ球の入賞により前記表示部１８ａの文字、数字、図形等の表示を変動表示させる始動入賞口１９が配設される。更に、その下方に、前記変動した表示が一定の時間経過後に停止して特定の表示（例えば「７７７」）を示し、遊技者にとって有利な特別遊技状態になったとき、一定の条件の下で開閉扉２０ａを所定回数開成させ一度に多くの入賞球が得られる入賞装置２０が配設されている。前記始動入賞口１９は、パチンコ球が入賞し難い起立またはパチンコ球が入賞し易い傾動位置に自在に変換可能な一対の可動翼片１９ａ，１９ａを有している。
【００１２】
更に、前記表示装置１８の両側やや下方位置に一般入賞口２１が配設され、これら一般入賞口２１の上方位置にはパチンコ球が通過することによりそれを検知し、前記始動入賞口１９の一対の可動翼片１９ａ，１９ａをパチンコ球が受入れ易いように傾動させるための通過チャッカー２２が配設されている。２３は、前記遊技部５ａの適宜位置に回転自在に装着され流下するパチンコ球の流れを変えて面白みを出させるための風車であり、２４は障害釘である。更にまた、遊技部５ａの下部には、遊技部５ａを流下して前記始動入賞口１９、一般入賞口２１などに入賞しなかったパチンコ球をアウト球として遊技盤５の後方へ回収するアウト球口２５が開設されている。
【００１３】
前記前面枠２は、合成樹脂製であって縦長方形状に成形され、周縁には枠部２６が設けられると共にその内側に基板部２７が張設されている。そして、この基板部２７に前記窓開口４が開設されることとなる。前記基板部２７の前面下部には、その平坦な取付面Ｅに打球発射レール２８と該打球発射レール２８の打球発射部Ａに供給するパチンコ球を発射させるための発射装置２９が取り付けられる。
【００１４】
前記前面枠２の裏面には、図４に示すように窓開口４を囲うようにして方形枠状の取付枠部３０が一体に設けられ、下部の棚部３０ａ上面に遊技盤５を載置して嵌め込むようになっている。なお、遊技盤５は取付枠部３０から脱落しないように固定具（図示せず。）により、しっかりと固定されることになる。
【００１５】
前記窓開口４には、前記前面枠２の一部を構成しその上部を覆う上部覆い部材３１とその一側を覆う側部覆い部材３２とが交換可能に取り付けられている。上部覆い部材３１と側部覆い部材３２は、共に合成樹脂材により成形され、窓開口４の内周面となる内側下面や内側側面にそれぞれ前記外側ガイドレール１５を取り付けるためのレール案内溝３３が成形される。また、上部覆い部材３１と側部覆い部材３２は、これら裏側の周縁と内側面に後方へ突出するリブ３４が設けられ、周縁部の内面に沿って前記窓開口４の内周縁の所定個所に設けた突片３６の螺子挿通孔３７と対応位置する螺子孔（図示せず。）を設けたボス３５が設けられている。そして、前記上部覆い部材３１や側部覆い部材３２は、前側から前記窓開口４の所定位置に配置され、各螺子挿通孔３７を介して螺子孔に螺子３８を螺入させることにより、図２に示すように上部覆い部材３１と側部覆い部材３２とがそれぞれ窓開口４の前面上部と前面一側部に装着される。
【００１６】
前記各レール案内溝３３は、図３に示すように上部・側部覆い部材３１，３２における前端縁の弧状縁部３１ａ，３２ａの裏面に、該弧状縁部３１ａ，３２ａに沿って成形される。このレール案内溝３３には、図５、図６に示すようにその前側縁部の長手方向に沿って、外側ガイドレール１５のレール幅の例えば約８分の１（２ｍｍ）の幅を有し、かつ、レール案内溝３３の底壁３３ａ面よりも突出する弧状の支持段部３９が成形されている。また、前記上部覆い部材３１と側部覆い部材３２とは連続せず分離して設けられており、上部覆い部材３１の一側下端と側部覆い部材３２の一側上端との間に所定幅の曲率調整空間Ｍが成形される。これにより、前記レール案内溝３３及び支持段部３９も長手方向における略中間位置で切除されることとなる。前記曲率調整空間Ｍに対応する基板部２７の内側端縁に、内側へ突設され先端に外側ガイドレール１５に係合し得る爪部４０を設けた外れ防止片４１が一体に設けられている。
【００１７】
図５、図６に示すように、前記レール案内溝３３の始端側に側部覆い部材３２の裏面に位置して螺子孔４２を有する突起４３が突設されている。また、図８、図９に示すように、レール案内溝３３の終端部は上方へ折り曲げられて一定の長さの終端折曲部４４が設けられている。そして、その側方近傍とやや上方位置であって上部覆い部材３１の裏面に螺子孔４５を有する支持突起４６と前記螺子孔４２を有する突起４３が突設されている。そして、前記終端折曲部４４近傍の支持突起４６に、前記外側ガイドレール１５のレール案内溝３３に対する緩みを無くし該外側ガイドレール１５を正位置に設置する正位置設置手段としての正位置設置具４７が装着される。
【００１８】
前記正位置設置具４７は、前記支持突起４６に嵌合して該支持突起４６を中心として回動し、後端面が閉塞する円筒状の軸筒部４８ａと、該軸筒部４８ａの外周面に張設され上部覆い部材３１の裏面とほぼ平行に配置される張出板部４８ｂと、からなる。軸筒部４８ａの後端面には、前記螺子孔４５と連通する螺子挿通孔４９が開設され、この螺子挿通孔４９を介して螺子孔４５に螺子５０を螺合することにより正位置設置具４７が軸着される。前記張出板部４８ｂはほぼ円板状に成形され一側に外側へ突出する操作部５１が設けられると共にその一側面に指先で摘んで操作できる摘み片部５２が設けられている。軸筒部４８ａの中心は張出板部４８ｂの中心より終端折曲部４４側へずれており、軸筒部４８ａが張出板部４８ｂの偏心位置にある。そして、正位置設置具４７を一方へ回動させることにより、張出板部４８ｂの外周面６３が漸次終端折曲部４４側に接近（最終的には圧接する。）するようになっている。
【００１９】
前記軸筒部４８ａの螺子５０は、指先で回さないと正位置設置具４７が回動しない程度に比較的強く締められ、しかも、前記操作部５１の内面に一つの係止歯５３ａが設けられ、これと対向する上部覆い部材３１裏面に前記係止歯５３ａと互いに噛合し得る複数の係止歯５３ｂが軸筒部４８ａを中心とする円弧状に設けられている。そして、指先で摘み片部５２を摘み正位置設置具４７を回動させ適宜位置で止めると、各係止歯５３ａ，５３ｂが互いに噛合して正位置設置具４７が停止するようになっている。
【００２０】
前記外側ガイドレール１５は、始端部が外側へＶ字状に屈曲されると共にその先端に前記突起４３に嵌合する円筒部５４ａが設けられる。終端部も同じく外側へＶ字状に屈曲されて前記終端折曲部４４に添わせる折曲片部５５が成形され、その先端に前記上方の突起４３に嵌合する円筒部５４ｂが設けられている。そして、外側ガイドレール１５には、始端側であって打球発射レール２８から発射されるパチンコ球が着地する着地部位付近Ｌの前縁に、その長手方向に沿って所定の範囲に亘り前記支持段部３９から外れる横幅を有した切欠条部５６が設けられている。
【００２１】
この切欠条部５６は、打球発射レール２８から発射されるパチンコ球が一番始めに着地する地点を実験的に引き出し、その地点を含む範囲でその長さが決められる。また、その横幅は前記支持段部３９から外れる幅であってかつ外側ガイドレール１５のレール幅の中央部に達しない範囲で設定される。その中央に達すると着地するパチンコ球が切欠条部５６に落ち込んでしまい球飛びに支障をきたすからである。前記外側ガイドレール１５のレール幅は通常１６〜１７ｍｍであるのに対し、切欠条部５６の横幅は例えば、３ｍｍに設定される。外側ガイドレール１５の後側縁の中間位置には、前記外れ防止片４１の爪部４０が係合し得る切欠１５ａが設けられている。
【００２２】
本発明は上記構成からなり、前記外側ガイドレール１５を前記レール案内溝３３に沿わせ、図６に示すように、始端部側の円筒部５４ａを側部覆い部材３２ａ側の突起４３に嵌合し、裏側から前記円筒部５４ａより大きい外径の鍔５７ａを有する螺子５７を螺子孔４２に螺合する。これにより、円筒部５４ａが突起４３から抜けることなくしっかりと固定される。また、前記レール案内溝３３の始端部の前面側には固定部材５８が螺着される。この固定部材５８は、略直角三角形状をなし、基板部５８ａ裏側の上縁部に前記支持段部３９の上面３９ａと平行になる押え面部５９が設けられている。そして、基板部５８ａに開設された螺子挿通孔６０を介して側部覆い部材３２に設けられた螺子孔６１に螺子６２を螺締することにより、支持段部３９の上面３９ａに載る外側ガイドレール１５の前側縁側をその上面３９ａと押え面部５９とでしっかりと固定できることになる。
【００２３】
同様に、図示は省略するが、前記外側ガイドレール１５の終端部側の円筒部５４ｂを上部覆い部材３１側の突起４３に嵌合し、裏側から前記と同じ螺子５７を螺子孔４２に螺合する。この際、折曲片部５５が、終端折曲部４４と正位置設置具４７との間に位置し、しかも、折曲片部５５と終端折曲部４４との間には少しの隙間が成形されるようになっている。また、図７に示すように前記切欠１５ａに外れ防止片４１の爪部４０が係合する。このように切欠１５ａに外れ防止片４１を係合させておくのは、外側ガイドレール１５を前記レール案内溝３３に取り付ける場合、両端部のみを前面枠２に止着する構造であり、しかも、外側ガイドレール１５が弧状に湾曲していることから、遊技盤５を装着するまでの間に両端部を支点として後方へ回転してレール案内溝３３から抜け出てしまうことがあり、このような事態を回避するためである。
【００２４】
更にこの状態で、指先で摘み片部５２を摘み、正位置設置具４７を図８の矢視方向（反時計方向）へ回動させ、その外周面６３を前記折曲片部５５の表面に圧接する。これにより、図１０、図１１に示すように折曲片部５５が外側ガイドレール１５の他端部側へ押され折曲片部５５がほとんど終端折曲部４４に密接するので、外側ガイドレール１５が両端部側から圧縮されその間の距離が縮まることとなり、これに伴い外側ガイドレール１５がレール案内溝３３側へ撓む。そして、その裏面がレール案内溝３３内面に圧接して安定する。また、前面枠２側に、しかも、両端部のみを支着して、外側ガイドレール１５が取り付けられるので、その取付作業が簡単になる。さらに、外側ガイドレール１５はレール案内溝３３に圧接され、常に円滑な弧面が具現されるように設置されるので、球飛び状態が安定する。
【００２５】
これにより、外側ガイドレール１５がレール案内溝３３の弧状縁部３１ａ，３２ａと遊技盤５の前面との間に挟まれて取り付けられる。また、外側ガイドレール１５は、一旦発射されるも飛走力が弱い等の理由により戻ってくるパチンコ球を下部球受皿１２に導くための戻り球排出口６４を介して前記打球発射レール２８の先端部と連なることとなる。
【００２６】
また、外側ガイドレール１５は、裏面の前縁側のみが前記支持段部３９に当接して支持されることとなる。一方、支持されない部分は、その裏面に前記始端部と終端部との間の全体に亘り空間Ｓが形成される。これにより、外側ガイドレール１５に、所要の弾力性が付与されることとなり、飛走するパチンコ球は、特に打球発射レール２８から飛び出して外側ガイドレール１５の表面に着地するときもその衝撃が吸収され、飛走中にパチンコ球が無用に跳ね返ることを押え、これによっても球飛び状態が極めて良好となる。
【００２７】
更に、前記上部覆い部材３１と側部覆い部材３２との間に曲率調整空間Ｍを形成しているが、通常、上部覆い部材３１と側部覆い部材３２との内周面、すなわちレール案内溝３３、の曲率半径は異なっている。よって、製作された段階で一定の曲率半径に設定された外側ガイドレール１５をレール案内溝３３に取り付けたとき、外側ガイドレール１５の上部側と下部側とで曲率半径が異なることから、歪みが生じてその表面がうねり、結果、球飛び状態が安定しなくなる。そこで、前記歪みを自由に湾曲できる曲率調整空間Ｍ内で逃すことによって、外側ガイドレール１５の表面を滑らかな面とし、安定した球飛び状態を確保しようとするものである。
【００２８】
本発明にあっては、前記外側ガイドレール１５であって、前記打球発射レール２８から発射されるパチンコ球が着地する着地部位付近Ｌの前縁に、その長手方向に沿って所定の範囲に亘り支持段部３９から外れる横幅を有した切欠条部５６を設けてなるので、該切欠条部５６を設けた範囲に亘り外側ガイドレール１５のレール幅が狭くなりその分レール本来の剛性が弱まり弾力性が高められると共にしなやかさが引き出される。しかも、その裏側には空間Ｓが成形される。よって、打球発射レール２８から打ち出されたパチンコ球が戻り球排出口６４を越えて着地した場合、その衝撃がうまく吸収され外側ガイドレール１５の表面に傷も窪みも付きにくくなる。これにより、長期間使用しても発射されたパチンコ球の球飛び状態に狂いが生ずることがなく、常に安定した球飛び状態が得られることになる。しかも、外側ガイドレール１５の寿命も伸ばすことができる。
【００２９】
図１２乃至図１４は他の実施の形態に係るものである。この実施の形態では本実施の形態と略同じ構成からなるので、同一部位は同一番号を付すことによって詳しい説明は割愛する。この場合は、前記打球発射レール２８から発射されるパチンコ球が着地する前記外側ガイドレール１５での着地部位付近Ｌの前縁に、本実施の形態と同様にその長手方向に沿って所定の範囲に亘り前記支持段部３９から外れる横幅を有した切欠条部５６が設けられる。また、外側ガイドレール１５での着地部位付近Ｌの後縁にも、外側ガイドレール１５の長手方向の中央線を中心として線対称となるように同様な切欠条部５６が設けられている。
【００３０】
このように、外側ガイドレール１５の前縁と後縁とに切欠条部５６，５６を設けるようにすれば、外側ガイドレール１５のレール幅がさらに狭くなり、その分本実施の形態に比べより弾力性が高められると共にしなやかさも引き出され、打球発射レール２８から打ち出されたパチンコ球が戻り球排出口６４を越えて着地した場合、その衝撃がさらにうまく吸収され外側ガイドレール１５の表面に傷も窪みも付きにくい。これにより、長期に亘り使用しても発射されたパチンコ球の球飛び状態に狂いが生ずることがなく、常に安定した球飛び状態が得られる。しかも、外側ガイドレール１５の寿命もより伸ばすことができる。
【００３１】
前縁と後縁とに切欠条部５６を設けた外側ガイドレール１５は、例えば図示は省略するが前記レール案内溝３３の前縁と後縁とに支持段部３９が設けられている場合にも適用することができる。そして、前記両実施の形態と同様な作用・効果が得られる。この場合、いずれの切欠条部５６も各支持段部３９から外れる横幅を有することは勿論である。
【図面の簡単な説明】
【００３２】
【図１】本発明が適用されるパチンコ遊技機の正面図。
【図２】前面枠の正面図。
【図３】同分解斜視図。
【図４】同裏面から見た斜視図。
【図５】同外側ガイドレールを取り外した一部裏面斜視図。
【図６】図２のＶ−Ｖ線断面図。
【図７】図２のＷ−Ｗ線断面図。
【図８】前面枠の要部裏面図。
【図９】図８のＸ−Ｘ線断面図。
【図１０】作用を示す前面枠の要部裏面図。
【図１１】図１０のＹ−Ｙ線断面図。
【図１２】他の実施の形態に係り、前面枠の裏面から見た斜視図。
【図１３】同外側ガイドレールを取り外した一部裏面斜視図。
【図１４】図１２のＺ−Ｚ線断面図。
【符号の説明】
【００３３】
２                    前面枠
４                    窓開口
５                    遊技盤
５ａ                  遊技部
１５                  外側ガイドレール
２８                  打球発射レール
３３                  レール案内溝
３９                  支持段部
５６                  切欠条部
Ｌ                    着地部位付近
Ｐ                    弾球遊技機（パチンコ遊技機）
Ｓ                    空間
【図１】
2005143985.tif 000003
【図２】
2005143985.tif 000004
【図３】
2005143985.tif 000005
【図４】
2005143985.tif 000006
【図５】
2005143985.tif 000007
【図６】
2005143985.tif 000008
【図７】
2005143985.tif 000009
【図８】
2005143985.tif 000010
【図９】
2005143985.tif 000011
【図１０】
2005143985.tif 000012
【図１１】
2005143985.tif 000013
【図１２】
2005143985.tif 000014
【図１３】
2005143985.tif 000015
【図１４】
2005143985.tif 000016